(57)【要約】【課題】注射針を皮膚に対し垂直に刺すことができる自己注射用注射器を提供する。【解決手段】注射器本体１と、注射器本体１の先端部に取り付けられる針アセンブリー２とからなり、針アセンブリー２は、注射針５と、針キャップ６と、針ケース７とからなり、注射にあたり、針アセンブリー２を注射器本体１の先端部に取り付けた後、針ケース７及び針キャップ６を取り外して注射針５の針本体５ｏを皮膚に刺し、注射器本体１の押しボタン３を押して薬液を皮下に注入する自己注射用注射器において、針本体５ｏが皮膚に対し垂直に刺さるようにガイドする針刺しガイド８を設け、針刺しガイド８は、注射針５の針本体取付用ナット部５ａに嵌合する嵌合孔部９と、注射器本体１と直交する面状に嵌合孔部と同心状に形成されて、針刺し時に皮膚上の針刺し個所の周辺部に当接支持される支持部１０とからなる。【選択図】図２
0003134719.tif 000002
【実用新案登録請求の範囲】
【請求項１】
後端部の押しボタンを押すことによって内部に収容された薬液が先端部から注出されるようになっている注射器本体と、注射器本体の先端部に取り付けられる針アセンブリーとからなり、針アセンブリーは、注射器本体の先端雄ねじ部に螺着される注射針と、注射針に被嵌される針キャップと、注射針及び針キャップを収納する針ケースとからなり、注射にあたり、針アセンブリーを注射器本体の先端部に取り付けた後、針ケース及び針キャップを取り外して、注射針の針本体を皮膚に刺し、注射器本体の押しボタンを押して薬液を皮下に注入するようにした自己注射用注射器において、
前記注射針の針本体が皮膚に対し垂直に刺さるようにガイドする針刺しガイドを設け、この針刺しガイドは、注射針の針本体取付用ナット部に嵌合する嵌合孔部と、嵌合孔部の軸方向と直交する面上に位置するように嵌合孔部と同心状に形成され、針刺し時に皮膚上の針刺し個所の周辺部に当接支持される支持部とからなることを特徴とする自己注射用注射器。
【請求項２】
前記針刺しガイドは、注射針の針本体取付用ナット部に嵌合する嵌合孔部を形成した内筒部と、内筒部と同心状の外筒部と、内外両筒部の後端部どうしをつなぐ端壁部とからなり、外筒部の先端部が、針刺し時に皮膚上の針刺し個所の周辺部に当接支持される支持部を形成することを特徴とする請求項１に記載の自己注射用注射器
【請求項３】
前記針刺しガイドの嵌合孔部の内周面は、後端側が先端側より若干径大のテーパに形成されていることを特徴とする請求項１又は２に記載の自己注射用注射器。
【考案の詳細な説明】
【技術分野】
【０００１】
本考案は、インスリン等の薬液を患者が自分で注射するための自己注射用注射器に関する。
【背景技術】
【０００２】
近年、日本においても運動不足、飽食等々の傾向により、生活習慣病の一つである糖尿病患者が増加しており、現在、国内の糖尿病患者は大凡７００万人を越え、そのうちの約一割がインスリンの分泌不足を補って血糖値を下げるためのインスリン自己注射（３〜４回／日）を行なっているといわれている。
【０００３】
現在よく使用されているインスリンの自己注射用注射器を図４の(a) 及び(b) に示す。この自己注射用注射器は、内部に所定量のインスリンが収容されている注射器本体１と、この注射器本体１の先端部に取り付けられる針アセンブリー２とからなるもので、注射器本体１は、後端部に設けてある押しボタン３を押すことによって内部に収容された薬液が先端部から注出されるようになっている。針アセンブリー２は、注射器本体１の先端雄ねじ部４に螺着される注射針５と、この注射針５に被嵌される針キャップ６と、注射針５及び針キャップ６を収納する針ケース７とから構成される。
【０００４】
注射針５は、前端が閉じ、後端が開口し、外周面がスプライン状をなし、内周面にねじが切ってあって、注射器本体１の先端雄ねじ部４に螺合する薄肉状の針本体取付用ナット部５ａと、このナット部５ａの先端に同心状に突設された截頭円錐状キャップ嵌合部５ｂと、この截頭円錐状キャップ嵌合部５ｂをその中心軸線に沿って貫通するように取り付けられた針本体５ｏとからなるもので、針本体５ｏは、截頭円錐状キャップ嵌合部５ｂの先端から所要長さ突出すると共に、図示は省略するが、截頭円錐状キャップ嵌合部５ｂの後端から針本体取付用ナット部５ａ内へ所要長さ突出している。
【０００５】
注射にあたっては、先ず、図５の(a) に示すように、注射器本体１の先端部に設けられた中空状ボルト部（雄ねじ部）４に閉栓されたゴム栓２１を、脱脂綿２２に染み込ませた消毒液で消毒し、そして針アセンブリー２を注射器本体１の先端部に取り付ける。尚、針アセンブリー２は、図４の(a) ，(b) に示すように、注射針５の截頭円錐状キャップ嵌合部５ｂに針キャップ６を嵌合すると共に、この注射針５と針キャップ６とを針ケース７内に嵌合収納して一体としたもので、注射針５の針本体取付用ナット部５ａは針ケース７の後端側円筒部７ａ内に回転不能で軸方向挿脱可能に嵌合されている。
【０００６】
この針アセンブリー２を注射器本体１の先端部に取り付けるには、先ず、図５の(b) に（イ）で示すように注射器本体１の先端雄ねじ部４に対してまっすぐに嵌め込み、その後（ロ）で示すように時計回りに回転させて締め付ければよく、それによって注射針５の針本体取付用ナット部５ａが注射器本体１の先端雄ねじ部４に螺着されると共に、ナット部５ａ内へ突出している針本体５ｏの後端部が注射器本体１の先端雄ねじ部４（中空状ボルト部）内のゴム栓２１に刺し通され、針アセンブリー２が注射器本体１と実質的につながった状態となる。
【０００７】
上記のように針アセンブリー２を注射器本体１先端部の中空状ボルト部（雄ねじ部）４に取り付けた後、図５の(c) に示すように、その針アセンブリー２から針ケース７を軸方向に引き抜いて取り外し、引き続いて(d) に示すように針キャップ６を注射針５から引き抜いて取り外す。これにより注射器は注射可能な状態となるわけであるが、ここで空打ち（試し打ち）を行なう。即ち、注射器本体１の後端部にある押しボタン３を押して、注射針５の針本体５ｏからインスリンが出ることを確認する。
【０００８】
こうして注射可能な状態となった注射器を図６の(a) に示すように片方の手で握って、注射針５の針本体５ｏを例えば腹部の皮膚２３に刺し、注射器本体１の押しボタン３を押してインスリンを皮下に注入し、自己注射を行なう。
【考案の開示】
【考案が解決しようとする課題】
【０００９】
上記のようなインスリン自己注射において確実に注射を行なうためには、図６の(b) に示すように、注射針５の針本体５ｏが皮膚に対し垂直に刺さるようにすることであるが、実際に注射器本体１を立てた状態で注射針５の針本体５ｏを皮膚に対し直角に当てようとしても、手で握っている注射器本体１がどうしても左右前後に動くため、注射針５の針本体５ｏを皮膚に対し垂直に刺すことは非常に難しかった。
【００１０】
本考案は、上記のような課題に鑑み、自己注射を行なう者が常に注射針の針本体を皮膚に対して垂直に刺すことができるようにした自己注射用注射器を提供することを目的とする。
【課題を解決するための手段】
【００１１】
上記課題を解決するための手段を、後述する実施形態の参照番号を付して説明すると、請求項１に係る考案の自己注射用注射器は、後端部の押しボタン３を押すことによって内部に収容された薬液が先端部から注出されるようになっている注射器本体１と、注射器本体１の先端部に取り付けられる針アセンブリー２とからなり、針アセンブリー２は、注射器本体１の先端雄ねじ部４に螺着される注射針５と、注射針５に被嵌される針キャップ６と、注射針５及び針キャップ６を収納する針ケース７とからなり、注射にあたり、針アセンブリー２を注射器本体１の先端部に取り付けた後、針ケース７及び針キャップ６を取り外して、注射針５の針本体５ｏを皮膚に刺し、注射器本体１の押しボタン３を押して薬液を皮下に注入するようにした自己注射用注射器において、
前記注射針５の針本体５ｏが皮膚２３に対し垂直に刺さるようにガイドする針刺しガイド８を設け、この針刺しガイド８は、注射針５の針本体取付用ナット部５ａに嵌合する嵌合孔部９と、嵌合凹部９の軸方向と直交する面上に位置するように嵌合孔部９と同心状に形成され、針刺し時に皮膚２３上の針刺し個所の周辺部に当接支持される支持部１０とからなることを特徴とすることを特徴とする。
【００１２】
請求項２は、請求項１に記載の自己注射用注射器において、前記針刺しガイド８は、注射針５の針本体取付用ナット部５ａに嵌合する嵌合孔部９を形成した内筒部１１と、内筒部１１と同心状の外筒部１２と、内外両筒部１１，１２の後端部どうしをつなぐ端壁部１３とからなり、外筒部１２の先端部が、針刺し時に皮膚２３上の針刺し個所の周辺部に当接支持される支持部を形成することを特徴とする。
【００１３】
請求項３は、請求項１又は２に記載の自己注射用注射器において、前記針刺しガイド８の嵌合孔部９の内周面は、後端側が先端側より若干径大のテーパに形成されていることを特徴とする。
【考案の効果】
【００１４】
上記解決手段による考案の効果を、後述する実施形態の参照番号を付して説明すると、請求項１に係る考案によれば、針刺しに際し、片方の手で握った注射器本体１を皮膚２３に対し直角になるように立てた状態から注射針５の針本体５ｏを皮膚２３上の所定個所に突き刺すと、針本体５ｏが皮膚２３に突き刺さるのと殆ど同時に、針刺しガイド８の支持部１０が皮膚２３上の針刺し個所の周辺部に当接して支持されるから、注射針５の針本体５ｏは皮膚２３に対して垂直に突き刺すことができる。こうして針刺しガイド８の支持部１０を皮膚２３上の針刺し個所の周辺部に当接支持させた状態で注射針５の針本体５ｏを突き刺した後、注射器本体１の後端部にある押しボタン３を押してインスリン等の薬液を皮下に注入するが、この押しボタン３を押す時も、針刺しガイド８の支持部１０が皮膚２３上の針刺し個所の周辺部に当接支持されているから、注射器本体１は、前後左右に揺動することなく皮膚２３に対し垂直位置に保持されることになり、従って注射針５の針本体５ｏを皮膚２３に対し垂直に刺したままで、薬液を皮下に注入することができて、確実に注射を行なうことができる。
【００１５】
請求項２に係る考案によれば、針刺しガイド８は、注射針５の針本体取付用ナット部５ａに嵌合する嵌合孔部９を形成した内筒部１１と、内筒部１１と同心状の外筒部１２と、内外両筒部１１，１２の後端部どうしをつなぐ端壁部１３とからなるもので、外筒部１２の先端部が針刺し時に皮膚２３上の針刺し個所の周辺部に当接支持されるようになっているから、構造が簡単で、適当な合成樹脂により針刺しガイド８を簡単容易に成形できて、安価に製作できると共に、外筒部１２の先端部が支持部１０となるから、使用時に注射器本体１を皮膚２３に対し垂直に安定良く保持することができる。
【００１６】
請求項３に係る考案によれば、針アセンブリー２の嵌合孔部９の内周面は、後端側が先端側より若干径大のテーパに形成されているから、針本体取付用ナット部５ａへの嵌合が容易となる。
【考案を実施するための最良の形態】
【００１７】
以下に本考案の好適な実施形態について図面の図１〜図３を参照しながら説明すると、図１の(a) は本考案に係る自己注射用注射器に使用される針刺しガイドの正面図、(b) は同針刺しガイドの側面図、(c) は同針刺しガイドの使用状態における断面図であり、また図２及び図３は本考案に係る自己注射用注射器の使用方法を示す説明図である。この自己注射用注射器は、後端部の押しボタン３を押すことによって内部に収容された薬液が先端部から注出されるようになっている注射器本体１と、注射器本体１の先端部に取り付けられる針アセンブリー２と、針刺し時に注射針５の針本体５ｏが皮膚に対し垂直に刺さるようにガイドする針刺しガイド８とからなるもので、針刺しガイド８は、注射針５の針本体取付用ナット部５ａに嵌合する嵌合孔部９と、嵌合凹部９の軸方向と直交する面上にあって嵌合孔部９と同心状で且つそれと一体に形成されて、針刺し時に皮膚２３上の針刺し個所の周辺部に当接支持される支持部１０とによって構成される。
【００１８】
針アセンブリー２は、図４の(b) に示される従来の針アセンブリー２と同じく、注射針５と針キャップ６と針ケース７とからなるもので、図４〜図６によって説明した通りの構造である。
【００１９】
上記針刺しガイド８の構造についてさらに詳しく説明すれば、この針刺しガイド８は、注射針５の針本体取付用ナット部５ａに嵌合する嵌合孔部９を形成した内筒部１１と、この内筒部１１と同心状の外筒部１２と、内外両筒部１１，１２の後端部どうしをつなぐ端壁部１３とからなるもので、外筒部１２の先端部が針刺し時に皮膚２３上の針刺し個所の周辺部に当接支持されるようになっていて、この外筒部１２の先端部が、針刺し時に皮膚２３上の針刺し個所の周辺部に当接支持される支持部１０を形成するようになっている。この針刺しガイド８は合成樹脂の一体成形によって形成される。また、嵌合孔部９の内周面は、後端側が先端側より若干径大のテーパに形成されている。
【００２０】
また図１の(c) から分かるように、嵌合孔部９を形成する内筒部１１の軸方向長さは、注射針５の針本体取付用ナット部５ａの軸方向長さより若干長く、また外筒部１２の軸方向長さは、注射針５における針本体取付用ナット部５ａの後端から截頭円錐状キャップ嵌合部５ｂの先端までの長さとほぼ同じとなっている。
【００２１】
上記のように構成される針刺しガイド８を備えた自己注射用注射器の使用方法について以下に説明する。
【００２２】
図５の(a) ，(b) に示す従来の自己注射用注射器の使用方法と同じ様に、注射器本体１先端部の中空状ボルト部（雄ねじ部）４に閉栓されたゴム栓２１を脱脂綿２２に染み込ませた消毒液で消毒した後、針刺しガイド８の除く針アセンブリー２を注射器本体１の先端部に取り付ける。この取り付けにあたっては、図５の(b) に（イ）で示すように注射器本体１の先端雄ねじ部４に対してまっすぐに嵌め込み、その後（ロ）で示すように時計回りに回転させて締め付けると、注射針５の針本体取付用ナット部５ａが注射器本体１の先端雄ねじ部４に螺着されると共に、ナット部５ａ内へ突出している針本体５ｏの後端部が注射器本体１の先端雄ねじ部４（中空状ボルト部）内のゴム栓２１に刺し通され、針アセンブリー２が注射器本体１と実質的につながった状態となる。尚、注射器本体１の先端部に針アセンブリー２を取り付けた状態の図示は省略する。
【００２３】
上記のようにして針刺しガイド８を除く針アセンブリー２を注射器本体１の先端部である中空状ボルト部（雄ねじ部）４に取り付けた後、先ず、図２の(a) に示すように、針ケース７を軸方向に引き抜いて取り外し、それから図２の(b) に示すように、針刺しガイド８を、注射器本体１の先端部に取り付けられた注射針５の針本体取付用ナット部５ａに取り付ける。この取付けにあたっては、針刺しガイド８の嵌合孔部９をその後端側から注射器本体１先端部の針本体取付用ナット部５ａに嵌合させればよい。この際、嵌合孔部９の内周面は、後端側が先端側より若干径大のテーパに形成されているから、針本体取付用ナット部５ａへの嵌合が容易となる。
【００２４】
こうして針刺しガイド８を、注射器本体１に先端部に取り付けられた注射針５の針本体取付用ナット部５ａに嵌合させた後、図２の(c) に示すように、注射針５の截頭円錐状キャップ嵌合部５ｂに嵌め込んで取り付けてある針キャップ６を引き抜いて取り外す。これによって注射器は注射可能な状態となるわけであるが、ここで注射器本体１の後端部にある押しボタン３を押して空打ち（試し打ち）を行い、注射針５の針本体５ｏからインスリンが出ることを確認する。
【００２５】
上記のように注射器本体１先端部の針本体取付用ナット部５ａに針刺しガイド８を嵌合した注射器の注射器本体１を、図３の(a) に示すように片方の手で握って、注射針５の針本体５ｏを同図の(b) に示すように例えば腹部の皮膚２３に刺す。この針刺しに際して、片方の手で握った注射器本体１を皮膚２３に対し直角になるように立てた状態から注射針５の針本体５ｏを皮膚２３上の所定個所に突き刺すと、針本体５ｏが皮膚２３に突き刺さるのと殆ど同時に、針刺しガイド８の支持部１０が皮膚２３上の針刺し個所の周辺部に当接して支持されるから、注射針５の針本体５ｏを皮膚２３に対し垂直に突き刺すことができる。
【００２６】
こうして針刺しガイド８の支持部１０を皮膚２３上の針刺し個所の周辺部に当接支持させた状態で注射針５の針本体５ｏを突き刺した後、注射器本体１の後端部にある押しボタン３を押してインスリンを皮下に注入するが、この押しボタン３を押す時も、針刺しガイド８の支持部１０が皮膚２３上の針刺し個所の周辺部に当接支持されているから、注射器本体１は前後左右に揺動することなく皮膚２３に対し垂直位置に保持されることになり、従って注射針５の針本体５ｏを皮膚２３に対し垂直に刺したままで、インスリンを皮下に注入することができて、確実に注射を行なうことができる。
【００２７】
また、上記針刺しガイド８は、注射針５の針本体取付用ナット部５ａに嵌合する嵌合孔部９を形成した内筒部１１と、内筒部１１と同心状の外筒部１２と、内外両筒部１１，１２の後端部どうしをつなぐ端壁部１３とからなるもので、外筒部１２の先端部が針刺し時に皮膚２３上の針刺し個所の周辺部に当接支持されるようになっているから、適当な合成樹脂によって針刺しガイド８を簡単容易に成形できて、安価に製作できると共に、外筒部１２の先端部を支持部１０とするから、使用時に注射器本体１を皮膚２３に対し垂直に安定良く保持することができる。
【００２８】
以上の実施形態では、インスリンの自己注射用注射器について説明したが、この考案の自己注射用注射器は、インスリンに限らず、他の薬液の自己注射にも使用することができる。
【図面の簡単な説明】
【００２９】
【図１】(a) は本考案に係る自己注射用注射器に使用される針刺しガイドの正面図、(b) は同針刺しガイドの側面図、(c) は同針刺しガイドの使用状態の断面図である。
【図２】(a) 〜(c) は本考案に係る自己注射用注射器の針アセンブリーの使用状態を示す説明図である。
【図３】(a) 及び(b) は同じく本考案に係る自己注射用注射器の針アセンブリーの使用状態を示す説明図である。
【図４】(a) は従来の自己注射用注射器の注射器本体及び針アセンブリーを示す正面図、(b) は針アセンブリーの分解図である。
【図５】(a)，(b)  は従来の自己注射用注射器の使用状態を示す説明図である。
【図６】(a)，(b)  は同じく従来の自己注射用注射器の使用状態説明図である。
【符号の説明】
【００３０】
１            注射器本体
２            針アセンブリー
３            押しボタン
４            注射器本体の先端雄ねじ部
５            注射針
５ａ          針本体取付用ナット部
５ｂ          截頭円錐状キャップ嵌合部
５ｏ          針本体
６            針キャップ
７            針ケース
８            針刺しガイド
９            嵌合孔部
１０          支持部
１１          内筒部
１２          外筒部
２３          皮膚
【図１】
0003134719.tif 000003
【図２】
0003134719.tif 000004
【図３】
0003134719.tif 000005
【図４】
0003134719.tif 000006
【図５】
0003134719.tif 000007
【図６】
0003134719.tif 000008